(57)【要約】【課題】一般消費者が継続的に興味を持ちつづける所定サービスを提供することができるデータ処理システムを提供する。【解決手段】喫煙スペースなどの特定スペースＳＳで、紙巻タバコなどの特定消費商品ＰＴを消費する一般消費者を、個人識別部１３０で個人識別し、その一般消費者が消費する特定消費商品ＰＴの特定温度をサーモグラフィ１４０で検出する。個人識別された一般消費者の識別結果と特定温度の検出とに対応して出力制御部１５０がデジタルコンテンツＤＣを出力させる。このため、例えば、特定スペースを頻繁に利用する一般消費者に、個人的なデジタルコンテンツＤＣを特定消費商品ＰＴの消費状態に対応して継続的に提供するようなことができる。【選択図】図１
2009134494.tif 000002
【特許請求の範囲】
【請求項１】
特定スペースで特定消費商品を消費する一般消費者に所定サービスを提供するためのデータ処理システムであって、
前記特定スペースで前記一般消費者を個人識別する個人識別部と、
継続的に出力されるデジタルコンテンツを記憶するコンテンツ記憶部と、
前記特定スペースに前記デジタルコンテンツを出力するコンテンツ出力部と、
継続的な前記デジタルコンテンツの出力経過状況を前記一般消費者の識別結果ごとに記録する履歴記録部と、
個人識別された前記一般消費者に消費される前記特定消費商品の特定温度を検出する温度検出部と、
個人識別された前記一般消費者ごとに前記特定温度の検出と前記出力経過状況とに対応して前記デジタルコンテンツを継続的に前記コンテンツ出力部に出力させる出力制御部と、
を有するデータ処理システム。
【請求項２】
前記出力制御部は、前記特定温度の検出時間を測定し、測定された前記検出時間に対応して個人識別された前記一般消費者ごとに継続的に前記デジタルコンテンツを前記コンテンツ出力部に出力させる請求項１に記載のデータ処理システム。
【請求項３】
前記履歴記録部は、測定された前記検出時間も前記一般消費者の識別結果ごとに記録し、
前記出力制御部は、個人識別された前記一般消費者ごとに記録されている前記検出時間に対応して前記デジタルコンテンツを継続的に前記コンテンツ出力部に出力させる請求項２に記載のデータ処理システム。
【請求項４】
前記特定スペースで前記特定消費商品の商品ＩＤ（Identity）データを取得する商品読取部を、さらに有し、
前記コンテンツ記憶部は、複数種類の前記商品ＩＤデータごとに前記デジタルコンテンツを記憶し、
前記特定スペースに前記デジタルコンテンツを出力するコンテンツ出力部を、さらに有し、
前記出力制御部は、取得された前記商品ＩＤデータに対応した前記デジタルコンテンツを前記特定温度の検出に対応して個人識別された前記一般消費者ごとに前記コンテンツ出力部に継続的に出力させる請求項１ないし３の何れか一項に記載のデータ処理システム。
【請求項５】
前記商品ＩＤデータは、前記特定消費商品に表記されている商品バーコードに記録されており、
前記商品読取部は、前記商品バーコードを読取走査するバーコードリーダを有する請求項４に記載のデータ処理システム。
【請求項６】
前記商品ＩＤデータは、前記特定消費商品に貼付されているＲＦＩＤ（Radio Frequency Identification）チップに記録されており、
前記商品読取部は、前記ＲＦＩＤチップから前記商品ＩＤデータを取得するＲＦＩＤリーダからなる請求項４に記載のデータ処理システム。
【請求項７】
前記温度検出部は、前記特定消費商品の複数の前記特定温度を検出し、
前記出力制御部は、検出される複数の前記特定温度に対応して前記デジタルコンテンツを前記コンテンツ出力部に出力させる請求項１ないし６の何れか一項に記載のデータ処理システム。
【請求項８】
前記温度検出部は、前記特定温度に検出感度が対応しているＩＲ（infrared）センサを有する請求項１ないし７の何れか一項に記載のデータ処理システム。
【請求項９】
前記特定消費商品は、タバコからなり、
前記特定スペースは、喫煙スペースからなり、
前記温度検出部は、前記タバコの少なくとも燃焼時の前記特定温度を検出する請求項１ないし８の何れか一項に記載のデータ処理システム。
【請求項１０】
前記温度検出部が検出する前記特定温度により前記特定スペースでの火災発生を判定する火災判定部を、さらに有する請求項９に記載のデータ処理システム。
【請求項１１】
前記個人識別部は、前記一般消費者が所持している個人識別媒体を確認する請求項１ないし１０の何れか一項に記載のデータ処理システム。
【請求項１２】
特定スペースで特定消費商品を消費する一般消費者に所定サービスを提供するためのデータ処理システムのためのコンピュータプログラムであって、
前記特定スペースに設置されている識別入力デバイスで前記一般消費者を個人識別する個人識別処理と、
継続的に出力されるデジタルコンテンツを記憶するコンテンツ記憶処理と、
前記特定スペースに設置されているコンテンツ出力デバイスに前記デジタルコンテンツを出力するコンテンツ出力処理と、
継続的な前記デジタルコンテンツの出力経過状況を前記一般消費者の識別結果ごとに記録する履歴記録処理と、
個人識別された前記一般消費者に消費される前記特定消費商品の特定温度を検出する温度検出処理と、
個人識別された前記一般消費者ごとに前記特定温度の検出と前記出力経過状況とに対応して前記デジタルコンテンツを継続的に前記コンテンツ出力部に出力させる出力制御処理と、
を前記データ処理システムに実行させるコンピュータプログラム。
【請求項１３】
特定スペースで特定消費商品を消費する一般消費者に所定サービスを提供するためのデータ処理システムのデータ処理方法であって、
前記特定スペースに設置されている識別入力デバイスで前記一般消費者を個人識別する個人識別工程と、
継続的に出力されるデジタルコンテンツを記憶するコンテンツ記憶工程と、
前記特定スペースに設置されているコンテンツ出力デバイスに前記デジタルコンテンツを出力するコンテンツ出力工程と、
継続的な前記デジタルコンテンツの出力経過状況を前記一般消費者の識別結果ごとに記録する履歴記録工程と、
個人識別された前記一般消費者に消費される前記特定消費商品の特定温度を検出する温度検出工程と、
個人識別された前記一般消費者ごとに前記特定温度の検出と前記出力経過状況とに対応して前記デジタルコンテンツを継続的に前記コンテンツ出力部に出力させる出力制御工程と、
を有するデータ処理方法。
【発明の詳細な説明】
【技術分野】
【０００１】
本発明は、特定スペースで特定消費商品を消費する一般消費者に所定サービスを提供するためのデータ処理システムに関し、特に、特定温度を発生する特定消費商品が消費される特定スペースで利用されるデータ処理システムに関する。
【背景技術】
【０００２】
現在、各所に喫煙スペースが用意されている。しかし、現在の喫煙スペースは、タバコ喫煙のみを目的とした隔離エリアでしかない。このため、一般的に喫煙者は手持ちぶさたである。
【０００３】
そこで、本出願人が過去に出願したデータ処理システムでは、喫煙スペースにコンテンツ出力部を設置しておき、一般消費者に広告データを提供する(例えば、特許文献１参照)。
【特許文献１】特開２００４−１２６３７３号公報
【特許文献２】特開２００３−３３０３９６号公報
【発明の開示】
【発明が解決しようとする課題】
【０００４】
特許文献１の技術では、日常的ではない特別な広告データを喫煙スペースで一般消費者に提供することができる。しかし、広告は提供する企業には重要であるが、視聴する一般ユーザに積極的に興味を持たせることは困難である。
【０００５】
特に、喫煙者は喫煙スペースを毎日のように繰り返し利用する可能性がある。このような場合、喫煙スペースを利用する一般消費者は同一のコンテンツを繰り返し視聴することになる。従って、喫煙者が興味を継続するようなサービスを提供することは困難である。
【０００６】
上述のように特定スペースで提供するコンテンツへの興味を強化するため、例えば、一般消費者の入場に連動してコンテンツを提供するシステムなどがある。しかし、これは一般消費者の入場を検知するとコンテンツの出力を開始しているだけであり、やはり良好な訴求効果は期待できない。
【０００７】
本発明は上述のような課題に鑑みてなされたものであり、特定スペースで特定消費商品を消費する一般消費者に継続的に所定サービスを提供することができるデータ処理システムを提供するものである。
【課題を解決するための手段】
【０００８】
本発明のデータ処理システムは、特定スペースで特定消費商品を消費する一般消費者に所定サービスを提供するためのデータ処理システムであって、特定スペースで一般消費者を個人識別する個人識別部と、継続的に出力されるデジタルコンテンツを記憶するコンテンツ記憶部と、特定スペースにデジタルコンテンツを出力するコンテンツ出力部と、継続的なデジタルコンテンツの出力経過状況を一般消費者の識別結果ごとに記録する履歴記録部と、個人識別された一般消費者に消費される特定消費商品の特定温度を検出する温度検出部と、個人識別された一般消費者ごとに特定温度の検出と出力経過状況とに対応してデジタルコンテンツを継続的にコンテンツ出力部に出力させる出力制御部と、を有する。
【０００９】
従って、本発明のデータ処理システムでは、コンテンツ記憶部には、継続的に出力されるデジタルコンテンツが記憶されており、継続的なデジタルコンテンツの出力経過状況が履歴記録部に一般消費者の識別結果ごとに記録される。そこで、特定スペースで特定消費商品を消費する一般消費者が個人識別部で個人識別されるとともに、個人識別された一般消費者に消費される特定消費商品の特定温度が温度検出部で検出される。すると、個人識別された一般消費者ごとに特定温度の検出と出力経過状況とに対応してデジタルコンテンツを継続的に出力制御部がコンテンツ出力部に出力させる。このため、例えば、いわゆる紙巻タバコが特定消費商品として一般消費者により特定スペースである喫煙スペースで喫煙されるようなときに、喫煙行為に連動して長大なデジタルコンテンツを継続的に出力するようなことができる。
【００１０】
また、本発明のデータ処理システムにおいて、出力制御部は、特定温度の検出時間を測定し、測定された検出時間に対応して個人識別された一般消費者ごとに継続的にデジタルコンテンツをコンテンツ出力部に出力させてもよい。
【００１１】
また、本発明のデータ処理システムにおいて、履歴記録部は、測定された検出時間も一般消費者の識別結果ごとに記録し、出力制御部は、個人識別された一般消費者ごとに記録されている検出時間に対応してデジタルコンテンツを継続的にコンテンツ出力部に出力させてもよい。
【００１２】
また、本発明のデータ処理システムにおいて、特定スペースで特定消費商品の商品ＩＤデータを取得する商品読取部を、さらに有し、コンテンツ記憶部は、複数種類の商品ＩＤデータごとにデジタルコンテンツを記憶し、特定スペースにデジタルコンテンツを出力するコンテンツ出力部を、さらに有し、出力制御部は、取得された商品ＩＤデータに対応したデジタルコンテンツを特定温度の検出に対応して個人識別された一般消費者ごとにコンテンツ出力部に継続的に出力させてもよい。
【００１３】
また、本発明のデータ処理システムにおいて、商品ＩＤデータは、特定消費商品に表記されている商品バーコードに記録されており、商品読取部は、商品バーコードを読取走査するバーコードリーダを有してもよい。
【００１４】
また、本発明のデータ処理システムにおいて、商品ＩＤデータは、特定消費商品に貼付されているＲＦＩＤチップに記録されており、商品読取部は、ＲＦＩＤチップから商品ＩＤデータを取得するＲＦＩＤリーダからなってもよい。
【００１５】
また、本発明のデータ処理システムにおいて、温度検出部は、特定消費商品の複数の特定温度を検出し、出力制御部は、検出される複数の特定温度に対応してデジタルコンテンツをコンテンツ出力部に出力させてもよい。
【００１６】
また、本発明のデータ処理システムにおいて、温度検出部は、特定温度に検出感度が対応しているＩＲセンサを有してもよい。
【００１７】
また、本発明のデータ処理システムにおいて、特定消費商品は、タバコからなり、特定スペースは、喫煙スペースからなり、温度検出部は、タバコの少なくとも燃焼時の特定温度を検出してもよい。
【００１８】
また、本発明のデータ処理システムにおいて、温度検出部が検出する特定温度により特定スペースでの火災発生を判定する火災判定部を、さらに有してもよい。
【００１９】
また、本発明のデータ処理システムにおいて、個人識別部は、一般消費者が所持している個人識別媒体を確認してもよい。
【００２０】
本発明のコンピュータプログラムは、特定スペースで特定消費商品を消費する一般消費者に所定サービスを提供するためのデータ処理システムのためのコンピュータプログラムであって、特定スペースに設置されている識別入力デバイスで一般消費者を個人識別する個人識別処理と、継続的に出力されるデジタルコンテンツを記憶するコンテンツ記憶処理と、特定スペースに設置されているコンテンツ出力デバイスにデジタルコンテンツを出力するコンテンツ出力処理と、継続的なデジタルコンテンツの出力経過状況を一般消費者の識別結果ごとに記録する履歴記録処理と、個人識別された一般消費者に消費される特定消費商品の特定温度を検出する温度検出処理と、個人識別された一般消費者ごとに特定温度の検出と出力経過状況とに対応してデジタルコンテンツを継続的にコンテンツ出力部に出力させる出力制御処理と、をデータ処理システムに実行させる。
【００２１】
本発明のデータ処理方法は、特定スペースで特定消費商品を消費する一般消費者に所定サービスを提供するためのデータ処理システムのデータ処理方法であって、特定スペースに設置されている識別入力デバイスで一般消費者を個人識別する個人識別工程と、継続的に出力されるデジタルコンテンツを記憶するコンテンツ記憶工程と、特定スペースに設置されているコンテンツ出力デバイスにデジタルコンテンツを出力するコンテンツ出力工程と、継続的なデジタルコンテンツの出力経過状況を一般消費者の識別結果ごとに記録する履歴記録工程と、個人識別された一般消費者に消費される特定消費商品の特定温度を検出する温度検出工程と、個人識別された一般消費者ごとに特定温度の検出と出力経過状況とに対応してデジタルコンテンツを継続的にコンテンツ出力部に出力させる出力制御工程と、を有する。
【００２２】
なお、本発明の各種の構成要素は、その機能を実現するように形成されていればよく、例えば、所定の機能を発揮する専用のハードウェア、所定の機能がコンピュータプログラムにより付与されたデータ処理システム、コンピュータプログラムによりデータ処理システムに実現された所定の機能、これらの任意の組み合わせ、等として実現することができる。
【００２３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２４】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００２５】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【発明の効果】
【００２６】
本発明のデータ処理システムは、コンテンツ記憶部には、継続的に出力されるデジタルコンテンツが記憶されており、継続的なデジタルコンテンツの出力経過状況が履歴記録部に一般消費者の識別結果ごとに記録される。そこで、特定スペースで特定消費商品を消費する一般消費者が個人識別部で個人識別されるとともに、個人識別された一般消費者に消費される特定消費商品の特定温度が温度検出部で検出される。すると、個人識別された一般消費者ごとに特定温度の検出と出力経過状況とに対応してデジタルコンテンツを継続的に出力制御部がコンテンツ出力部に出力させる。このため、例えば、いわゆる紙巻タバコが特定消費商品として一般消費者により特定スペースである喫煙スペースで喫煙されるようなときに、喫煙行為に連動して長大なデジタルコンテンツを継続的に出力するようなことができる。従って、一般消費者ごとに継続する所定サービスを特定スペースでの特定消費商品の消費行為ごとに効果的に提供することができる。
【発明を実施するための最良の形態】
【００２７】
本発明の実施の一形態を図面を参照して以下に説明する。本実施の形態のデータ処理システム１００は、特定消費商品である紙巻タバコＰＴが消費される特定スペースである喫煙スペースＳＳで、一般消費者に所定サービスを提供するために利用される。
【００２８】
本実施の形態のデータ処理システム１００は、図１に示すように、喫煙スペースＳＳで一般消費者を個人識別する個人識別部１３０と、継続的に出力されるデジタルコンテンツＤＣを記憶するコンテンツ記憶部１１０と、喫煙スペースＳＳにデジタルコンテンツＤＣを出力するコンテンツ出力部１２０と、継続的なデジタルコンテンツＤＣの出力経過状況を一般消費者の識別結果ごとに記録する履歴記録部１６０と、個人識別された一般消費者に消費される紙巻タバコＰＴの特定温度を検出する温度検出部であるサーモグラフィ１４０と、個人識別された一般消費者ごとに特定温度の検出と出力経過状況とに対応してデジタルコンテンツＤＣを継続的にコンテンツ出力部１２０に出力させる出力制御部１５０と、を有する。
【００２９】
より具体的には、本実施の形態のデータ処理システム１００が適用される喫煙スペースＳＳは、例えば、建物に用意された一室などからなる。図２に示すように、その喫煙スペースＳＳには複数の座席ＰＳが用意されている。
【００３０】
コンテンツ出力部１２０は、コンテンツ出力デバイスであるディスプレイデバイス１２１を有し、個人識別部１３０は、識別入力デバイスであるキーボード１３１を有する。そこで、喫煙スペースＳＳでは、その座席ＰＳごとにディスプレイデバイス１２１とキーボード１３１とが設置されている。
【００３１】
ディスプレイデバイス１２１は、例えば、いわゆるベールビューＬＣＤ（Liquid Crystal Display）などの、視野角が所定範囲に限定されている狭視野角ディスプレイからなる。
【００３２】
そして、相互に対応している座席ＰＳとディスプレイデバイス１２１とは、ディスプレイデバイス１２１の視野角に座席ＰＳが配置されているとともに、座席ＰＳに着席した一般消費者の視認範囲にディスプレイデバイス１２１が配置されている。
【００３３】
さらに、相互に対応していない座席ＰＳとディスプレイデバイス１２１とは、ディスプレイデバイス１２１の視野角の外側に座席ＰＳが配置されているとともに、座席ＰＳに着席した一般消費者の視認範囲の外側にディスプレイデバイス１２１が配置されている。
【００３４】
紙巻タバコＰＴは、当然ながら燃焼することで消費される。そこで、サーモグラフィ１４０は、ＩＲセンサ１４１、ドライバ回路１４２、画像処理部１４３、光学フィルタ１４４、等を有する。
【００３５】
ＩＲセンサ１４１は、例えば、検出感度が２〜５μｍの短波長用のＰｔＳｉタイプやＩｎＳｂタイプ、０．９〜１．７μｍの近赤外線用のＩｎＧａＡｓタイプ、８〜１４μｍの長波長用のＭＣＴタイプ、８〜９．２μｍの長波長用のＱＷＩＰタイプ、８〜１４μｍの長波長用のマイクロボロメータタイプやフェロエレクトリックタイプ、等からなる。
【００３６】
ただし、このＩＲセンサ１４１は、所定特性の光学フィルタ１４４が装着されることにより、着火された紙巻タバコＰＴの燃焼温度に検出感度が対応している。ドライバ回路１４２は、ＩＲセンサ１４１の出力信号から紙巻タバコＰＴの燃焼温度に対応した温度分布画像を生成する。画像処理部１４３は、ドライバ回路１４２が出力する温度分布画像から特定温度を検出する。
【００３７】
ＩＲセンサ１４１は、例えば、全部の座席ＰＳを撮像できる喫煙スペースＳＳの天井などに設置されている。喫煙スペースＳＳのバックヤードにはデータベースサーバ１０１が設置されており、上述のＩＲセンサ１４１と複数のディスプレイデバイス１２１と複数のキーボード１３１とがデータベースサーバ１０１に接続されている。
【００３８】
データベースサーバ１０１は適正なコンピュータプログラムが実装されている。このコンピュータプログラムに対応してデータベースサーバ１０１が各種の処理動作を実行することにより、上述の各部１１０〜１６０が論理的に実現されている。
【００３９】
コンテンツ記憶部１１０は、データベースサーバ１０１がコンピュータプログラムに対応して認識する記憶エリアなどに相当する。コンテンツ出力部１２０は、データベースサーバ１０１がコンピュータプログラムに対応してディスプレイデバイス１２１を動作制御する機能などに相当する。
【００４０】
サーモグラフィ１４０の画像処理部１４３は、データベースサーバ１０１がコンピュータプログラムに対応して画像処理を実行する機能などに相当する。出力制御部１５０は、データベースサーバ１０１がサーモグラフィ１４０の出力データとコンピュータプログラムとに対応して、ディスプレイデバイス１２１に出力させるデジタルコンテンツＤＣを選択する機能などに相当する。
【００４１】
コンテンツ記憶部１１０は、複数種類のデジタルコンテンツＤＣを記憶している。このデジタルコンテンツＤＣは、例えば、リアルタイムに生成されるビデオゲームのキャラクタからなり、個人ＩＤデータが属性データとして付与されている。
【００４２】
このビデオゲームとしては、例えば、一連のストーリーがなく、不特定多数の一般消費者がリアルタイムに参加して無制限に継続する、いわゆるメタバースなどを利用することができる。
【００４３】
個人識別部１３０は、いわゆるテンキーなどのキーボード１３１を有する。このため、例えば、一般消費者ごとのパスワードが入力操作されることにより、氏名や住所などの個人情報の入力操作を必要とすることなく、座席ＰＳごとに一般消費者を個人識別する。
【００４４】
個人識別部１３０は、上述のように複数のコンテンツ出力部１２０ごとに一般消費者を個人識別する。このため、出力制御部１５０は、一般消費者が個人識別された座席ＰＳに対応した位置のコンテンツ出力部１２０にデジタルコンテンツＤＣを出力させる。
【００４５】
紙巻タバコＰＴは、当然ながら燃焼することで消費される。そこで、サーモグラフィ１４０は、紙巻タバコＰＴの燃焼温度に対応した温度分布画像を撮像するＩＲセンサ１４１を有する。
【００４６】
上述のようなデータ処理システム１００のコンピュータプログラムは、例えば、喫煙スペースＳＳに設置されている識別入力デバイスで一般消費者を個人識別する個人識別処理と、継続的に出力されるデジタルコンテンツＤＣを記憶するコンテンツ記憶処理と、喫煙スペースＳＳに設置されているコンテンツ出力デバイスにデジタルコンテンツＤＣを出力するコンテンツ出力処理と、継続的なデジタルコンテンツＤＣの出力経過状況を一般消費者の識別結果ごとに記録する履歴記録処理と、個人識別された一般消費者に消費される紙巻タバコＰＴの特定温度を検出する温度検出処理と、個人識別された一般消費者ごとに特定温度の検出と出力経過状況とに対応してデジタルコンテンツＤＣを継続的にコンテンツ出力部１２０に出力させる出力制御処理と、をデータベースサーバ１０１に実行させるように記述されている。
【００４７】
上述のような構成において、本実施の形態のデータ処理システム１００は、一般消費者による喫煙スペースＳＳの利用を促進するため、喫煙スペースＳＳを利用する一般消費者にデジタルコンテンツＤＣを提供する。
【００４８】
より詳細には、本実施の形態のデータ処理システム１００では、ＩＲセンサ１４１により喫煙スペースＳＳの全部の座席ＰＳを常時撮像している。また、喫煙スペースＳＳの一般消費者が着座する座席ＰＳごとのコンテンツ出力部１２０のディスプレイデバイス１２１に、図３に示すように、「コンテンツの継続利用を要望される方は、以下の方法で識別を御願いします。初めての方は、以下の方法で登録を御願いします。なお、登録データはコンテンツの継続提供以外に利用されることはなく、本システムの外部に提供されることもありません」などのガイダンスメッセージが、個人識別方法の説明とともに出力されている(ステップＳ１)。
【００４９】
そこで、デジタルコンテンツＤＣの利用を要望する一般消費者は、例えば、ガイダンスメッセージに対応してキーボード１３１に手の平を対向させることにより個人識別や初回登録を実行する。
【００５０】
データ処理システム１００は、上述のようなデータ入力が実行されると(ステップＳ２−Ｙ)、その入力データで一般消費者の個人識別処理を実行する(ステップＳ３)。この場合、初回登録ならば入力データが登録され、継続利用ならば入力データに一致する登録データが検索される(ステップＳ３)。
【００５１】
この継続利用で個人識別に失敗すると(ステップＳ４−Ｎ)、「登録ユーザと確認できませんでした、初回登録を御願いします」などのエラーガイダンスがディスプレイデバイス１２１に表示出力されてから(ステップＳ１３)、初期状態に復帰する(ステップＳ１)。
【００５２】
一方、上述の個人識別処理に成功すると(ステップＳ４−Ｙ)、識別結果である個人ＩＤデータに対応してデジタルコンテンツＤＣの出力経過状況が読み出される(ステップＳ５)。さらに、その出力経過状況と個人ＩＤデータとに対応してデジタルコンテンツＤＣの対応部分が読み出され(ステップＳ６)、その読み出されたデジタルコンテンツＤＣがディスプレイデバイス１２１に表示出力される(ステップＳ７)。
【００５３】
本実施の形態のデータ処理システム１００では、例えば、前述のようにデジタルコンテンツＤＣがビデオゲームの一般消費者ごとのキャラクタからなる。そして、この一般消費者ごとのゲームキャラクタは、例えば、図４(ａ)に示すように、初期状態ではビデオゲームの仮想空間で休止している。
【００５４】
このとき、例えば、「あなたのキャラクタです。タバコを喫煙すると活動します」などのガイダンスメッセージもディスプレイデバイス１２１に表示出力される。そこで、これを確認した一般消費者がタバコパックＴＰから紙巻タバコＰＴを取り出して着火すると、これが紙巻タバコＰＴの特定温度としてＩＲセンサ１４１により検知される(ステップＳ８−Ｙ)。
【００５５】
すると、本実施の形態のデータ処理システム１００では、上述の喫煙開始の検出に対応してデジタルコンテンツＤＣの出力を制御することにより、例えば、図４(ｂ)に示すように、仮想空間で休止していたゲームキャラクタが活動を開始する。
【００５６】
そして、紙巻タバコＰＴの特定温度の検出終了により喫煙終了が判定されるまで(ステップＳ１０−Ｎ)、デジタルコンテンツＤＣが出力されることにより(ステップＳ９)、例えば、上述のゲームキャラクタが活動してデジタルコンテンツＤＣが進行する。
【００５７】
そして、喫煙を完了した一般消費者が、紙巻タバコＰＴを消火すると(ステップＳ１０−Ｙ)、これに対応してデジタルコンテンツＤＣが出力されることにより、例えば、図４(ａ)に示すように、上述のゲームキャラクタは初期の休止状態に移行してビデオゲームの進行が停止する。この場合、上述のデジタルコンテンツＤＣの表示出力が終了され(ステップＳ１１)、その経過状況が次回のために記録される(ステップＳ１２)。
【００５８】
従って、一般消費者は喫煙スペースＳＳの使用ごとに、自身専用のデジタルコンテンツＤＣを継続的に利用することができる。このため、例えば、上述のようにデジタルコンテンツＤＣがビデオゲームなどの場合は進行を再開することができ、ゲームキャラクタの経験値なども継続することができる。
【００５９】
本実施の形態のデータ処理システム１００では、上述のように喫煙スペースＳＳで一般消費者を個人識別部１３０で個人識別するとともに、その一般消費者が消費する紙巻タバコＰＴの特定温度をサーモグラフィ１４０で検出し、個人識別された一般消費者の識別結果と特定温度の検出とに対応して出力制御部１５０がデジタルコンテンツＤＣを出力させる。
【００６０】
従って、例えば、喫煙スペースで紙巻タバコＰＴが喫煙する一般消費者に、各々ごとのデジタルコンテンツＤＣを喫煙行為ごとに提供することができる。特に、一般消費者に個々人ごとのデジタルコンテンツＤＣを継続的に提供することができ、しかも、そのデジタルコンテンツＤＣの出力が紙巻タバコＰＴの喫煙行為に連動されるので、一般消費者に良好にサービスを提供することができる。
【００６１】
また、データ処理システム１００は、一般消費者ごとにデジタルコンテンツＤＣを継続的に提供するため、その一般消費者を個人識別している。しかし、その個人識別は一般消費者を個別に区分するためのみ実行されている。
【００６２】
このため、データ処理システム１００に一般消費者が姓名や住所などのプライバシ情報を登録する必要がない。従って、一般消費者のプライバシが侵害されることがなく、喫煙者も抵抗なくデータ処理システム１００を利用することができる。
【００６３】
また、サーモグラフィ１４０は、紙巻タバコＰＴの着火と消火との特定温度を検出し、出力制御部１５０は、紙巻タバコＰＴの着火と消火とにデジタルコンテンツＤＣの開始と終了とを連動させる。このため、簡単なデータ処理でデジタルコンテンツＤＣの出力と紙巻タバコＰＴの喫煙とを連動させることができる。
【００６４】
さらに、データ処理システム１００は、ＩＲセンサ１４１により温度分布画像を撮像して紙巻タバコＰＴの燃焼温度を検出する。このため、一台のＩＲセンサ１４１により複数の座席ＰＳでの紙巻タバコＰＴの燃焼温度を簡単に検出することができる。
【００６５】
さらに、本実施の形態のデータ処理システム１００では、ディスプレイデバイス１２１が狭視野角ディスプレイからなり、そのディスプレイデバイス１２１の視野角の内側に対応する座席ＰＳが配置されている。
【００６６】
また、座席ＰＳに着席した一般消費者の視認範囲にディスプレイデバイス１２１が配置されており、その一般消費者の視認範囲の外側に隣接するディスプレイデバイス１２１が配置されている。
【００６７】
このため、一般消費者は自身のデジタルコンテンツＤＣは問題なく視認できるが、隣席などのデジタルコンテンツＤＣを視認することはない。従って、一般消費者には自身のデジタルコンテンツＤＣのみを視認させることができる。
【００６８】
つまり、自身のデジタルコンテンツＤＣの継続部分に該当する他人のデジタルコンテンツＤＣを視認するようなことがないので、一般消費者による喫煙スペースＳＳの継続利用を促進することができる。さらに、喫煙スペースＳＳが隔離された室内ではなく、屋外のオープンスペースの場合でも(図示せず)、適正な一般消費者のみにデジタルコンテンツＤＣを提供することができる。
【００６９】
なお、本発明は本実施の形態に限定されるものではなく、その要旨を逸脱しない範囲で各種の変形を許容する。例えば、上記形態では消費により特定温度となる特定消費商品が紙巻タバコＰＴからなることを例示した。しかし、このような特定消費商品が加温や加冷されている缶詰飲料などでもよい（図示せず）。
【００７０】
また、上記形態ではタバコパックＴＰとの差異を明確とするため、実際に喫煙されるタバコを紙巻タバコＰＴと称呼した。しかし、この喫煙される特定消費商品が、いわゆる葉巻でもよい(図示せず)。
【００７１】
さらに、上記形態では一般消費者ごとに継続的に提供されるデジタルコンテンツＤＣとして、無制限に継続するメタバースなどのビデオゲームを想定した。しかし、このようなデジタルコンテンツＤＣとして、ストーリーや終了があるビデオゲームや動画やデジタルコミックなどを利用することもできる。
【００７２】
より具体的には、数回の喫煙時間に対応した長時間のデジタルコミックなどのデジタルコンテンツＤＣの場合、図５に示すように、最初に一般消費者が視聴を開始したときに、そのコンテンツ開始が個人ＩＤデータと関連されて登録される。
【００７３】
このような状態で、その一般消費者がデジタルコンテンツＤＣの視聴を途中で終了すると、そのデジタルコンテンツＤＣの終了時点が個人ＩＤデータと関連されて登録される。
【００７４】
そこで、その一般消費者がデータ処理システム１００に個人ＩＤデータを入力して認証されると、その個人ＩＤデータで前回の終了時点が読み出され、これを第二回目の開始時点としてデジタルコンテンツＤＣが出力される。
【００７５】
そして、上述のようにデジタルコンテンツＤＣが継続的に出力されることにより最終的に完了すると、そのデジタルコンテンツＤＣの完了が個人ＩＤデータと関連されて登録される。
【００７６】
このように第一のデジタルコンテンツＤＣの出力が完了すると、データ処理システム１００は、第二のデジタルコンテンツＤＣの出力を開始する。この場合、当然ながら、そのコンテンツ開始が個人ＩＤデータと関連されて登録され、その終了時点も個人ＩＤデータと関連されて登録される。
【００７７】
なお、短時間のビデオゲームや動画などの複数のデジタルコンテンツＤＣがデータ処理システム１００に事前に用意されており、その複数のデジタルコンテンツＤＣが一般消費者により選択されてもよい。
【００７８】
例えば、図６に示すように、そのようなデジタルコンテンツＤＣとしてコンテンツＡ〜Ｄが用意されている場合、データ処理システム１００に個人ＩＤデータを入力して認証された一般消費者がコンテンツＡを選択すると、そのコンテンツＡの開始が個人ＩＤデータと関連されて登録される。
【００７９】
このような状態で、その一般消費者がコンテンツＡの視聴を途中で終了すると、その終了時点がコンテンツＡのコンテンツＩＤと個人ＩＤデータとともに関連されて登録される。
【００８０】
つぎに、その一般消費者がデータ処理システム１００に個人ＩＤデータを入力して認証されたとき、その一般消費者は、コンテンツＡを選択すれば前回の終了時点から出力を再開させることができる。
【００８１】
一方、コンテンツＢ〜を選択すれば、そのコンテンツＢの開始が個人ＩＤデータと関連されて登録される。その一般消費者がコンテンツＢの視聴を途中で終了すると、そのコンテンツＢの終了時点が個人ＩＤデータと関連されて登録される。
【００８２】
このような状態でも、一般消費者はコンテンツＡ，Ｂの視聴を各々の前回の終了時点から再開することができ、さらに、未見のコンテンツＣ，Ｄの視聴を開始することもできる。
【００８３】
さらに、図７に示すように、上述のような短時間の複数のデジタルコンテンツＤＣが順番に出力されるようにデータ処理システム１００に用意されていてもよい。その場合でも、一般消費者による各コンテンツの視聴が終了された時点で、その終了時点がコンテンツＩＤと個人ＩＤとともに登録されるので、そのコンテンツの出力を再開することができる。
【００８４】
この場合、あるデジタルコンテンツＤＣの出力が完了すると自動的に次段のデジタルコンテンツの出力が開始される。そのとき、出力が完了したデジタルコンテンツＤＣの完了がコンテンツＩＤと個人ＩＤデータとともに登録され、出力が開始されたデジタルコンテンツＤＣの開始がコンテンツＩＤと個人ＩＤデータとともに登録される。
【００８５】
なお、上述のように複数の短時間のデジタルコンテンツＤＣが連続的に出力される場合、まだ出力が開始されていないデジタルコンテンツＤＣの内容が自動的に変更されてもよい。
【００８６】
例えば、デジタルコンテンツＤＣがニュースなどの場合、最新版が優先的に出力されてもよい。より具体的には、途中まで出力されているデジタルコンテンツＤＣは、その途中から出力が再開され、まだ出力されていないデジタルコンテンツＤＣは最新版と置換されればよい。
【００８７】
この場合、一般消費者は途中まで視聴したデジタルコンテンツＤＣは継続的に視聴することができ、まだ視聴していないデジタルコンテンツＤＣに関しては、意識することなく最新版を最初から視聴することができる。
【００８８】
なお、上述のようにデジタルコンテンツＤＣを完了せずに中断するときには、いわゆるフェードアウェイの手法で一般消費者の違和感を緩和してもよい(図示せず)。また、上述のように複数の短時間のデジタルコンテンツＤＣが連続的に出力される場合、図示するように、当然ながら、その複数のデジタルコンテンツＤＣの出力時間は相違していてもよい。
【００８９】
さらに、上記形態では説明を簡単とするため、一般消費者ごとに一つのデジタルコンテンツＤＣが継続的に出力されることを例示した。しかし、一般消費者ごとに複数種類のデジタルコンテンツＤＣが用意されており、メニュー表示される複数種類のデジタルコンテンツＤＣを一般消費者が所望により選択してもよい。
【００９０】
また、上記形態では一般消費者の個人識別ごとに紙巻タバコＰＴの燃焼温度のみに対応してデジタルコンテンツＤＣを出力することを例示した。しかし、紙巻タバコＰＴの銘柄も検出してデジタルコンテンツＤＣを出力してもよい。
【００９１】
より具体的には、図８に示すように、紙巻タバコＰＴのタバコパックＴＰには、ＪＡＮ（Japanese Article Number）コードなどの商品ＩＤデータが商品バーコードＴＢとして表記されている。
【００９２】
そこで、データ処理システム１００の座席ＰＳごとにバーコードリーダ(図示せず)を設置しておき、一般消費者にタバコパックＴＰの商品バーコードＴＢをバーコードリーダでデータ処理システム１００に入力させる。
【００９３】
この場合、データ処理システム１００は、一般消費者が喫煙する紙巻タバコＰＴの銘柄を認識できるので、その銘柄に対応して複数種類のデジタルコンテンツＤＣを選択し、一般消費者ごとに継続的に出力するようなことができる。
【００９４】
例えば、座席ＰＳに着席した一般消費者がタバコパックＴＰの商品バーコードＴＢをバーコードリーダに読取操作させると、そのタバコ銘柄に対応した装備がデジタルコンテンツＤＣのゲームキャラクタに付与されるようなこともできる。
【００９５】
このため、一般消費者が自身のデジタルコンテンツＤＣを継続的に利用するときに新規のタバコパックＴＰの商品バーコードＴＢをバーコードリーダに読取操作させることで、例えば、デジタルコンテンツＤＣのゲームキャラクタの装備を充実させるようなことができる(図示せず)。
【００９６】
なお、同一種類のタバコパックＴＰの商品バーコードＴＢが毎回入力されるような場合でも、例えば、デジタルコンテンツＤＣのゲームキャラクタの同一装備の経験値を増加させるようなことができる(図示せず)。
【００９７】
当然ながら、喫煙スペースＳＳで喫煙する一般消費者はタバコパックＴＰを所持しているので、一般消費者から問題なくタバコパックＴＰの商品ＩＤデータを取得することができる。
【００９８】
なお、特定消費商品であるタバコパックＴＰにＲＦＩＤチップが貼付されており、このＲＦＩＤチップに商品ＩＤデータが記録されており、データ処理システムがＲＦＩＤリーダで商品ＩＤデータを取得してもよい(図示せず)。
【００９９】
さらに、上記形態では一般消費者による喫煙状況を判定するために喫煙スペースＳＳにＩＲセンサ１４１を設置しておくことを例示した。しかし、このようなデータ処理システムが、ＩＲセンサ１４１が検出する特定温度により喫煙スペースＳＳでの火災発生を判定してもよい(図示せず)。
【０１００】
当然ながら、喫煙スペースＳＳには火災報知システムが必要である。つまり、上述のようなデータ処理システムは、火災報知システムのＩＲセンサ１４１を利用して喫煙状況を判定できることになる。
【０１０１】
また、上記形態ではＩＲセンサ１４１により紙巻タバコＰＴの着火と消火との特定温度に単純にデジタルコンテンツＤＣの出力を連動させることを例示した。しかし、紙巻タバコＰＴの燃焼温度は、一般消費者が紙巻タバコＰＴを吸引すると上昇し、手指やアッシュトレイに放置すると所定温度まで低下する。また、吸引の強度によっても特定温度は相違する。
【０１０２】
そこで、上述のような紙巻タバコＰＴの複数段階の特定温度の検出に対応して、デジタルコンテンツＤＣを各種に出力してもよい。例えば、一般消費者が紙巻タバコＰＴを吸引して燃焼温度が上昇すると、デジタルコンテンツＤＣのゲームキャラクタの活動が促進され、紙巻タバコＰＴが手指やアッシュトレイに放置されて燃焼温度が低下すると、ゲームキャラクタの活動が緩慢となる、等でもよい。
【０１０３】
さらに、上記形態では紙巻タバコＰＴの特定温度の検出に対応して一般消費者ごとにデジタルコンテンツＤＣが出力されることを例示した。しかし、紙巻タバコＰＴの特定温度の検出を検出日時とともに出力し、デジタルコンテンツＤＣを検出日時にも対応して出力してもよい。この場合、平日と休日で相違するデジタルコンテンツＤＣを提供するようなことができる。
【０１０４】
さらに、上記形態では喫煙スペースＳＳには一般消費者が自由に出入りできることを例示した。しかし、上述のような個人識別やタバコパックＴＰの確認により喫煙スペースＳＳへの入場を制限してもよい。
【０１０５】
その場合、例えば、喫煙スペースＳＳの入口に電動ゲートとバーコードリーダを設置しておき(図示せず)、タバコパックＴＰの商品バーコードを確認できないと喫煙スペースＳＳへの入場を許可しないようなことができる(図示せず)。
【０１０６】
当然ながら、喫煙スペースＳＳの一般消費者はタバコパックＴＰを所持しており、タバコパックＴＰを所持していない一般消費者が喫煙スペースＳＳに入場することはない。このため、適正な一般消費者は問題なく喫煙スペースＳＳに入場させることができる。
【０１０７】
さらに、上記形態では喫煙スペースＳＳが建物に用意された一室からなることを例示した。しかし、喫煙スペースＳＳが、飲食店に用意された喫煙席、屋外に用意されたオープンスペース、等でもよい（図示せず）。
【０１０８】
このように喫煙スペースが屋外に用意されている場合、例えば、複数の狭視野角のディスプレイデバイス１２１を個人識別部１３０とともに設置しておき、その個人識別部１３０により一般消費者を識別したら、対応するディスプレイデバイス１２１でデジタルコンテンツＤＣを表示すればよい。
【０１０９】
この場合、屋外のオープンスペースに設置されているディスプレイデバイス１２１は周囲から自由に視認されるが、このディスプレイデバイス１２１が狭視野角であるため、正面に相対する一般消費者でないとデジタルコンテンツＤＣの視認は困難である。このため、デジタルコンテンツＤＣを正当な一般消費者のみに提供することができる。
【０１１０】
さらに、視野角が下方に設定されているディスプレイデバイス１２１を上方に配置し、その表示画面を下側に傾斜させておくようなこともできる。この場合も、上方に位置するディスプレイデバイス１２１は周囲から自由に視認されるが、その下方に位置する一般消費者でないとデジタルコンテンツＤＣを視認することは困難である。
【０１１１】
なお、現在では視野角の方向を制御できるディスプレイデバイスもある(図示せず)。そこで、このようなコンテンツ出力部を屋外に設置しておき、ＩＲセンサ１４１の撮像画像により一般消費者が識別されたときに、その方向にディスプレイデバイスの視野角を制御してデジタルコンテンツＤＣを提供してもよい。
【０１１２】
また、上記形態ではディスプレイデバイス１２１が狭視野角ディスプレイからなり、一対一に対応する座席ＰＳの一般消費者のみにデジタルコンテンツＤＣを提供することを例示した。
【０１１３】
しかし、ディスプレイデバイス１２１が、複数のデジタルコンテンツＤＣを各々所定の視野角で複数方向に出力するマルチビューディスプレイからなり、相互に対応している座席ＰＳとディスプレイデバイス１２１とは、ディスプレイデバイス１２１の複数の視野角の各々に座席ＰＳが配置されているとともに、座席ＰＳに着席した一般消費者の視認範囲にディスプレイデバイス１２１が配置されていてもよい(図示せず)。
【０１１４】
この場合、個人識別部１３０は、座席ＰＳごとに一般消費者を個人識別し、出力制御部１５０は、一般消費者が個人識別された座席ＰＳに対応した表示方向でディスプレイデバイス１２１にデジタルコンテンツＤＣを出力させる。
【０１１５】
上述のようなディスプレイデバイス１２１は、複数方向に相違するデジタルコンテンツＤＣを同時に出力することができる。このため、一個のディスプレイデバイス１２１で複数の一般消費者に個々にデジタルコンテンツＤＣを提供することができる。
【０１１６】
また、上記形態ではデータ処理システム１００が一つの喫煙スペースＳＳで一般消費者の喫煙状況を判定してデジタルコンテンツＤＣを出力することを例示した。しかし、このようなデータ処理システムが、判定した喫煙状況をデータ収集してもよい。
【０１１７】
この場合、タバコパックＴＰの販売やアンケート調査ではデータ収集できない実際の喫煙状況をデータ収集できるので、その収集データを新製品の開発や販売戦略の立案などに有効利用することができる。
【０１１８】
さらに、このようなデータ処理システムが、複数の喫煙スペースＳＳを横断して喫煙状況を判定してもよい。この場合、例えば、オフィス街、繁華街、サービスエリア、などの喫煙スペースＳＳの属性データとともに、喫煙状況を判定することができる。同様に、通勤時間、昼休み、帰宅時間、などの時間帯の属性データとともに、上述のような喫煙状況のデータ収集を実行してもよい。
【０１１９】
また、コンテンツ出力部１２０と個人識別部１３０とが複数の喫煙スペースＳＳに設置されており、履歴記録部１６０は、複数の喫煙スペースＳＳを横断して一般消費者ごとに出力経過状況を記録し、出力制御部１５０は、一般消費者が個人識別された喫煙スペースＳＳに出力経過状況に対応したデジタルコンテンツＤＣを配信してもよい(図示せず)。
【０１２０】
この場合、一般消費者は複数の喫煙スペースＳＳの何処でも、デジタルコンテンツＤＣを継続的に利用することができる。このため、平日はオフィス街の喫煙スペースＳＳでデジタルコンテンツＤＣを視認し、休日は繁華街の喫煙スペースＳＳでデジタルコンテンツＤＣを視認する、などのことができる。
【０１２１】
さらに、上記形態ではデータ処理システム１００が一般消費者を生体認証により個人識別することを例示した。しかし、このような個人識別のデータ入力が、例えば、運転免許証などの個人識別媒体の画像データの取得、クレジットカードなどの個人識別媒体の磁気データの取得、ＩＣカードなどの個人識別媒体の記録データの取得、等で実行されてもよい。
【０１２２】
また、上記形態ではデータ処理システム１００がサービス用のデジタルコンテンツＤＣを出力することのみ例示した。しかし、このようなデジタルコンテンツＤＣとして、サービス用の特定コンテンツの他、常時出力コンテンツ、終了直後コンテンツ、等が登録されていてもよい。
【０１２３】
例えば、常時出力コンテンツは、喫煙スペースＳＳの利用方法の案内ガイダンスなどからなり、一般消費者の有無などに関係なく常時出力される。終了直後コンテンツは、次回の喫煙スペースＳＳの利用の案内ガイダンスなどからなり、喫煙終了にリアルタイムに連動して出力される。この場合、より良好に一般消費者を訴求することができる。
【０１２４】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【０１２５】
【図１】本発明の実施の形態のデータ処理システムの論理構造を示す模式的なブロック図である。
【図２】データ処理システムの物理構造を示す模式的なブロック図である。
【図３】データ処理システムの処理動作を示すフローチャートである。
【図４】ディスプレイデバイスにデジタルコンテンツが表示出力されている状態を示す模式的な正面図である。
【図５】一変形例のデジタルコンテンツの出力形態を示す模式的なタイムチャートである。
【図６】他の変形例のデジタルコンテンツの出力形態を示す模式的なタイムチャートである。
【図７】さらに他の変形例のデジタルコンテンツの出力形態を示す模式的なタイムチャートである。
【図８】特定消費商品であるタバコパックの外観を示す斜視図である。
【符号の説明】
【０１２６】
１００    データ処理システム
１０１    データベースサーバ
１１０    コンテンツ記憶部
１２０    コンテンツ出力部
１２１    ディスプレイデバイス
１３０    個人識別部
１３１    キーボード
１４０    サーモグラフィ
１４１    ＩＲセンサ
１４２    ドライバ回路
１４３    画像処理部
１４４    光学フィルタ
１５０    出力制御部
１６０    履歴記録部
ＤＣ    デジタルコンテンツ
ＰＳ    座席
ＰＴ    紙巻タバコ
ＳＳ    喫煙スペース
ＴＢ    商品バーコード
ＴＰ    タバコパック
【図１】
2009134494.tif 000003
【図２】
2009134494.tif 000004
【図３】
2009134494.tif 000005
【図４】
2009134494.tif 000006
【図５】
2009134494.tif 000007
【図６】
2009134494.tif 000008
【図７】
2009134494.tif 000009
【図８】
2009134494.tif 000010